(57)【要約】【課題】カード収納部に収納されているカードを簡易に再使用することが可能なカード処理装置を提供すること。【解決手段】搬送路１１とカード収納部２１との間でカードＣを搬送する収納カード搬送機構部２３を備える。収納カード搬送機構部２３は、第１のカード当接部材２５、第２のカード当接部材２７、ベース部材２９、電磁ソレノイド３１及び駆動モータ３３を含む。第１のカード当接部材２５は、搬送路１１にあるカードＣに当接可能であり、ベース部材２９に揺動自在に軸支される。第２のカード当接部材２７は、カード収納部２１に収納されているカードＣに当接可能であり、ベース部材２９に揺動自在に軸支される。電磁ソレノイド３１は、一端部が第１のカード当接部材２５に係合し、他端部が第２のカード当接部材２７に係合する可動鉄芯３１ａを有する。ベース部材２９は、ボールネジ機構部３７等を介して駆動モータ３３に連結されており、駆動モータ３３の回転に応じて移動する。【選択図】  図１
2004280571.tif 000002
【特許請求の範囲】
【請求項１】
カード挿入口から挿入されたカードを導入する搬送路と、
前記搬送路における前記カードの停止位置の近傍に設けられ、前記カードを処理するカード処理部と、
前記カードを収納するためのカード収納部と、
前記搬送路にあるカードに当接可能な第１のカード当接部材と、
前記カード収納部に収納されているカードに当接可能な第２のカード当接部材と、
前記搬送路にある前記カードに前記第１のカード当接部材を当接させ、当該カードを前記カード収納部に向けて送出するように前記搬送路にある前記カードに当接した状態で前記第１のカード当接部材を移動させ、前記カード収納部に収納されている前記カードに前記第２のカード当接部材を当接させ、当該カードを前記搬送路に向けて送出するように前記カード収納部に収納されている前記カードに当接した状態で前記第２のカード当接部材を移動させる駆動手段と、を備えたことを特徴とするカード処理装置。
【請求項２】
前記駆動手段は、
前記第１のカード当接部材及び前記第２のカード当接部材が揺動自在に軸支されたベース部材と、
前記第１のカード当接部材及び前記第２のカード当接部材を揺動させる第１のアクチュエータと、
前記ベース部材を前記搬送路に対応する第１の移動位置と前記カード収納部に対応する第２の移動位置との間で往復移動させる第２のアクチュエータと、を含んでおり、
前記第１のカード当接部材及び前記第２のカード当接部材は、前記第１のアクチュエータにより第１の揺動位置とされると、カードに当接可能な状態となり、前記第１のアクチュエータにより第２の揺動位置とされると、カードに当接しない状態とされ、
前記第１のカード当接部材が前記第１の揺動位置とされた状態で、前記ベース部材を前記第１の移動位置から前記第２の移動位置へ移動させることにより、前記搬送路にある前記カードを前記カード収納部に向けて送出し、
前記第２のカード当接部材が前記第１の揺動位置とされた状態で、前記ベース部材を前記第２の移動位置から前記第１の移動位置へ移動させることにより、前記カード収納部に収納されている前記カードを前記搬送路に向けて送出することを特徴とする請求項１に記載のカード処理装置。
【請求項３】
前記第２のカード当接部材は、前記ベース部材を前記第１の移動位置から前記第２の移動位置へ移動させる際に、前記第１の揺動位置とされており、前記カード収納部に収納されているカードに当接して、前記カード収納部に送出される前記カードを収納可能な間隙を形成することを特徴とする請求項２に記載のカード処理装置。
【請求項４】
前記第２のカード当接部材における、前記ベース部材を前記第１の移動位置から前記第２の移動位置へ移動させる際に前記カード収納部に収納されている前記カードに当接する部分は、前記第２のカード当接部材の移動方向に対して傾斜して形成されていることを特徴とする請求項３に記載のカード処理装置。
【請求項５】
前記カード収納部に収納されている前記カードに対し、当該カードが前記第１の揺動位置にある前記第２のカード当接部材と当接し得るように、その厚さ方向に付勢力を付与する付勢部材を更に備えていることを特徴とする請求項１に記載のカード処理装置。
【請求項６】
前記第１のカード当接部材及び前記第２のカード当接部材は、カードの幅方向の端部に当接可能なツメ部をそれぞれ有することを特徴とする請求項１に記載のカード処理装置。
【請求項７】
前記カード収納部は、前記搬送路の下方に設けられていることを特徴とする請求項１〜請求項６のいずれか一項に記載のカード処理装置。
【発明の詳細な説明】
【０００１】
【発明の属する技術分野】
本発明は、カード処理装置に関する。
【０００２】
【従来の技術】
この種のカード処理装置として、カードの処理を行うカード処理手段での処理内容に応じて、処理済のカードを収納するものが知られている（例えば、特許文献１参照。）。特許文献１に記載されたカード処理装置は、カード挿入口から挿入されたカードを搬送させる第１のカード搬送路と、このカード搬送路内に設けられ情報処理を行うカード処理手段と、このカード処理部へカードを搬送する第１のカード搬送手段と、第１のカード搬送路から延設された第２のカード搬送路と、第２のカード搬送路内に設けられた第２の搬送手段と、第２のカード搬送路の終端部に設けられたカード収納部と、を備え、第２のカード搬送路へ移送されたカードを自重によってカード収納部に落下させるように構成している。
【０００３】
【特許文献１】
特開２０００−１４８９１７号公報
【０００４】
【発明が解決しようとする課題】
ところで、カードの有効利用の観点から、カード収納部に収納されているカードを再使用したい場合もある。しかしながら、上述した構成のカード処理装置においては、カード収納部に収納されてしまったカードをカード処理手段にて処理するためには、手作業により、カード収納部から一旦カードを取り出し、取り出したカードをカード挿入口に挿入させなければならず、時間と手間がかかってしまい、簡易に再使用できる構成とはなっていない。
【０００５】
本発明は上述の点に鑑みてなされたもので、カード収納部に収納されているカードを簡易に再使用することが可能なカード処理装置を提供することを目的とする。
【０００６】
【課題を解決するための手段】
本発明に係るカード処理装置は、カード挿入口から挿入されたカードを導入する搬送路と、搬送路におけるカードの停止位置の近傍に設けられ、カードを処理するカード処理部と、カードを収納するためのカード収納部と、搬送路にあるカードに当接可能な第１のカード当接部材と、カード収納部に収納されているカードに当接可能な第２のカード当接部材と、搬送路にあるカードに第１のカード当接部材を当接させ、当該カードをカード収納部に向けて送出するように搬送路にあるカードに当接した状態で第１のカード当接部材を移動させ、カード収納部に収納されているカードに第２のカード当接部材を当接させ、当該カードを搬送路に向けて送出するようにカード収納部に収納されているカードに当接した状態で第２のカード当接部材を移動させる駆動手段と、を備えたことを特徴としている。
【０００７】
本発明に係るカード処理装置では、搬送路と、カード処理部と、カード収納部と、第１のカード当接部材と、第２のカード当接部材と、駆動手段とを備え、駆動手段により、搬送路内にあるカードに第１のカード当接部材が当接し、当該第１のカード当接部材が当接したカードをカード収納部に向けて送出するように第１のカード当接部材が移動することとなる。これにより、搬送路にあるカードをカード収納部に搬送することができる。また、駆動手段により、カード収納部に収納されているカードに第２のカード当接部材が当接し、当該第２のカード当接部材が当接したカードを搬送路に向けて送出するように第２のカード当接部材が移動することとなる。これにより、カード収納部に収納されているカードが搬送路に搬送することができる。これらの結果、カード収納部にカードを収納することができると共に、カード収納部に収納されているカードを簡易に再使用することができる。
【０００８】
また、本発明においては、第１のカード当接部材及び第２のカード当接部材を移動させることによりカードを搬送しているので、ローラ搬送方式に比して、カード汚れ等に起因する搬送不良の発生を抑制することができ、信頼性が向上する。また、ローラ清掃が不要となるために、メンテナンス性も向上する。
【０００９】
また、駆動手段は、第１のカード当接部材及び第２のカード当接部材が揺動自在に軸支されたベース部材と、第１のカード当接部材及び第２のカード当接部材を揺動させる第１のアクチュエータと、ベース部材を搬送路に対応する第１の移動位置とカード収納部に対応する第２の移動位置との間で往復移動させる第２のアクチュエータと、を含んでおり、第１のカード当接部材及び第２のカード当接部材は、第１のアクチュエータにより第１の揺動位置とされると、カードに当接可能な状態となり、第１のアクチュエータにより第２の揺動位置とされると、カードに当接しない状態とされ、第１のカード当接部材が第１の揺動位置とされた状態で、ベース部材を第１の移動位置から第２の移動位置へ移動させることにより、搬送路にあるカードをカード収納部に向けて送出し、第２のカード当接部材が第１の揺動位置とされた状態で、ベース部材を第２の移動位置から第１の移動位置へ移動させることにより、カード収納部に収納されているカードを搬送路に向けて送出することが好ましい。このように構成した場合、第１のカード当接部材を揺動させるためのアクチュエータと第２のカード当接部材揺動させるためのアクチュエータとが共用されることとなり、搬送路とカード収納部との間でカードを搬送するために必要なアクチュエータの数を必要最小限度にでき、構成部品点数の増加を抑制してコストの上昇を抑えることができる。
【００１０】
また、第２のカード当接部材は、ベース部材を第１の移動位置から第２の移動位置へ移動させる際に、第１の揺動位置とされており、カード収納部に収納されているカードに当接して、カード収納部に送出されるカードを収納可能な間隙を形成することが好ましい。このように構成した場合、カード収納部にカードが収納されている状態でも、第１のカード当接部材によりカード収納部に新たに搬送されてくるカードを確実に収納することができる。
【００１１】
また、第２のカード当接部材における、ベース部材を第１の移動位置から第２の移動位置へ移動させる際にカード収納部に収納されているカードに当接する部分は、第２のカード当接部材の移動方向に対して傾斜して形成されていることが好ましい。このように構成した場合、カード収納部に送出されるカードを収納可能な間隙を確実に形成することができる。
【００１２】
また、カード収納部に収納されているカードに対し、当該カードが第１の揺動位置にある第２のカード当接部材と当接し得るように、その厚さ方向に付勢力を付与する付勢部材を更に備えていることが好ましい。このように構成した場合、カード収納部に収納されているカードを確実に第２のカード当接部材に当接させることができ、簡易な構成にて搬送不良を防止することができる。
【００１３】
また、第１のカード当接部材及び第２のカード当接部材は、カードの幅方向の端部に当接可能なツメ部をそれぞれ有することが好ましい。このように構成した場合、第１のカード当接部材及び第２のカード当接部材のそれぞれを確実にカードに当接させることができる。また、第１のカード当接部材あるいは第２のカード当接部材とカードとの接触面積が必要最小限度のものとすることができ、カード汚れが各カード当接部材に付着するのを抑制することができる。
【００１４】
また、カード収納部は、搬送路の下方に設けられていることが好ましい。このように構成した場合、搬送路の下方のスペースを利用してカード収納部をレイアウトすることができ、搬送路におけるカード搬送方向での奥行き長さを小さくすることができ、装置の奥行き方向でのコンパクト化を図ることができる。
【００１５】
【発明の実施の形態】
本発明の実施形態に係るカード処理装置について図面を参照して説明する。
【００１６】
図１は、本実施形態に係るカード処理装置の側面図であり、図２は、本実施形態に係るカード処理装置の正面図である。また、図３は、本実施形態に係るカード処理装置に含まれるベース部材の平面図であり、図４は、本実施形態に係るカード処理装置に含まれるベース部材の側面図である。
【００１７】
カード処理装置１は、図１及び図２に示されるように、筐体３を備えており、この筐体３は左右一対の第１及び第２の側筐体５，７からなる。筐体３の前側の上下方向略中央位置に、非接触型ＩＣカード（以下、単に「カード」と称する）Ｃの幅方向が垂直状態となるようにカードＣを挿入するカード挿入口９が設けられている。そして、第１及び第２の側筐体５，７の互いに対向する面により、カード挿入口９から挿入されたカードＣを導入する搬送路１１が形成されており、この搬送路１１は、カード挿入口９からカード挿入方向に沿って延設されている。
【００１８】
第１の側筐体５におけるカード挿入口９近傍には、駆動ローラ１３が回転自在に軸支されている。この駆動ローラ１３は、第１の側筐体５に穿設された窓（図示せず）から搬送路１１に臨んで配置されており、図示しない駆動機構により回転駆動される。第２の側筐体７における駆動ローラ１３に対向する位置には、ピンチローラ１５が回転自在に軸支されている。このピンチローラ１５は、第２の側筐体７に穿設された窓（図示せず）から搬送路１１に臨んで配置されている。カード挿入口９から挿入されたカードＣは、駆動ローラ１３とピンチローラ１５とで挟持され、駆動ローラ１３の回転により搬送路１１内を搬送される。そして、搬送されているカードＣが駆動ローラ１３とピンチローラ１５から外れると、当該カードＣの搬送が停止されて、カードＣの停止位置が規定されることとなる。
【００１９】
第２の側筐体７における搬送路１１を形成する面の外側には、搬送路１１におけるカードＣの停止位置の近傍に設けられ、カードＣを処理するカード処理部としての情報処理基板１７が配設されている。この情報処理基板１７には、カードＣのアンテナ部（図示せず）と情報の授受を無線で行うアンテナ部１９が設けられている。
【００２０】
搬送路１１の下方には、カードＣを収納するためのカード収納部２１が設けられている。このカード収納部２１は、搬送路１１と同様に、第１及び第２の側筐体５，７の互いに対向する面により形成されており、搬送路１１に連通している。搬送路１１とカード収納部２１とを連通する部分における第１の側筐体５と第２の側筐体７との間隔は、カードＣが一枚だけ通過し得る長さに設定されており、搬送路１１とカード収納部２１とを連通する部分は、ゲージとして機能することとなる。なお、本実施形態では、第２の側筐体７における第１の側筐体５に対向する面に窪みを形成することにより、第１の側筐体５と第２の側筐体７とを当接させた際に搬送路１１及びカード収納部２１を規定するための空間が設けられるように構成されている。
【００２１】
第１の側筐体５における搬送路１１及びカード収納部２１を形成する面の外側には、搬送路１１とカード収納部２１との間でカードＣを搬送するための収納カード搬送機構部２３が設けられている。収納カード搬送機構部２３は、第１のカード当接部材２５と、第２のカード当接部材２７と、ベース部材２９と、第１のアクチュエータとしての電磁ソレノイド３１と、第２のアクチュエータとしての駆動モータ３３とを含んでいる。
【００２２】
第１のカード当接部材２５は、搬送路１１にあるカードＣに当接可能であり、ベース部材２９に揺動自在に軸支されている。第１のカード当接部材２５は、図３及び図４にも示されるように、カードＣの幅方向の端部に当接可能な第１のツメ部２５ａを一対有している。また、第１のカード当接部材２５には、揺動軸として機能する突出部２５ｂが一対設けられている。ここで、搬送路１１にあるカードＣとは、全体が搬送路１１内に位置しているカードＣだけではなく、少なくともその一部分が搬送路１１内に位置しているカードＣも含まれる。
【００２３】
第２のカード当接部材２７は、カード収納部２１に収納されているカードＣに当接可能であり、ベース部材２９に揺動自在に軸支されている。第２のカード当接部材２７は、図３及び図４にも示されるように、カードＣの幅方向の端部に当接可能な第２のツメ部２７ａを一対有している。第２のツメ部２７ａの先端部分は、その下側部分が第２のカード当接部材２７の移動方向に対して傾斜して形成おり、カード挿入方向から見て、略「く」の字形状とされている。また、第２のカード当接部材２７には、揺動軸として機能する突出部２７ｂが一対設けられている。
【００２４】
ベース部材２９は、図３及び図４にも示されるように、略板状の部材からなり、第１の側筐体５に搬送路１１からカード収納部２１にわたって穿設された開口部５ａを介して第２の側筐体７に対向して配置されている。第１の側筐体５における開口部５ａの縁には、ベース部材２９の端部に係合可能であり、ベース部材２９が開口にそって移動する際に当該ベース部材２９のガイド及び押さえとして機能する壁部５ｂが設けられている。
【００２５】
ベース部材２９における上下方向略中央より上側位置には、第１のカード当接部材２５の突出部２５ｂが挿入される孔部２９ａが形成された壁部２９ｂが一対立設されている。このように孔部２９ａに突出部２５ｂが挿入されることにより、第１のカード当接部材２５は、カード挿入方向に延びる軸回りに揺動自在に支持されることとなる。また、ベース部材２９における上下方向略中央より下側位置には、第２のカード当接部材２７の突出部２７ｂが挿入される孔部２９ｃが形成された壁部２９ｄが一対立設されている。このように孔部２９ｃに突出部２７ｂが挿入されることにより、第２のカード当接部材２７は、カード挿入方向に延びる軸回りに揺動自在に支持されることとなる。ベース部材２９における壁部２９ｄよりも下側位置には、第２のツメ部２７ａをカード収納部２１側に臨ませるための開口部２９ｅが形成されている。なお、第１のツメ部２５ａは、ベース部材２９の上端部を越えて搬送路１１側に臨むこととなる。
【００２６】
ベース部材２９の上下方向略中央位置には、電磁ソレノイド３１が取り付けられている。電磁ソレノイド３１は、可動鉄芯３１ａを有し、当該可動鉄芯３１ａをその長手方向に動作させる。可動鉄芯３１ａの一端部は、第１のカード当接部材２５に形成された係合部２５ｃに係合しており、他端部は第２のカード当接部材２７に形成された係合部２７ｃに係合している。
【００２７】
可動鉄芯３１ａが下方に移動した状態では、第１のカード当接部材２５の係合部２５ｃは、可動鉄芯３１ａの一端部に形成されたテーパ面に当接し、第１のカード当接部材２５は第１の揺動位置とされて、第１のツメ部２５ａを搬送路１１側に進出させた状態となる。これにより、第１のカード当接部材２５は、その第１のツメ部２５ａがカードＣに当接可能な状態となる。なお、第１のツメ部２５ａの長さは、搬送路１１側に進出させた状態で、当該搬送路１１内のカードＣの幅方向の端部（上端部）に当接するように設定されている。
【００２８】
また、可動鉄芯３１ａが下方に移動した状態では、第２のカード当接部材２７も第１の揺動位置とされて、第２のツメ部２７ａをカード収納部２１側に進出させた状態となる。これにより、第２のカード当接部材２７は、その第２のツメ部２７ａがカードＣに当接可能な状態となる。なお、第２のツメ部２７ａの長さは、カード収納部２１側に進出させた状態で、当該カード収納部２１に収納されているカードＣのうちの最もベース部材２９寄りに位置するカードＣの幅方向の端部（上端部）のみに当接するように設定されている。
【００２９】
一方、可動鉄芯３１ａが上方に移動した状態では、第１のカード当接部材２５の係合部２５ｃは、可動鉄芯３１ａの一端部に形成されたテーパ面から外周面に乗り上げ、第１のカード当接部材２５は第２の揺動位置とされて、第１のツメ部２５ａを搬送路１１側から退出させた状態となる。これにより、第１のカード当接部材２５は、その第１のツメ部２５ａがカードＣに当接しない状態となる。
【００３０】
また、可動鉄芯３１ａが上方に移動した状態では、第２のカード当接部材２７も、可動鉄芯３１ａにより係合部２７ｃが引き上げられることにより第２の揺動位置とされて、第２のツメ部２７ａをカード収納部２１側から退出させた状態となる。これにより、第２のカード当接部材２７は、その第２のツメ部２７ａがカードＣに当接しない状態となる。
【００３１】
ベース部材２９の下端部には、シャフト３５が挿入される孔部２９ｆが形成された壁部２９ｇが一対立設されている。シャフト３５は、孔部２９ｆに挿入された状態でベース部材２９（壁部２９ｇ）に固定されている。シャフト３５は、ボールネジ機構部３７を介して駆動モータ３３に連結されている。このボールネジ機構部３７は、開口に沿って延在すると共に第１の側筐体５に対し軸受け３９を介して回転自在に支持されたネジ軸４１と、このネジ軸４１に螺合する雌ネジ部４３とからなる。そして、シャフト３５の端部が雌ネジ部４３に固定されている。また、ネジ軸４１には、駆動モータ３３の回転軸に固定された駆動ギア４５に噛合した従動ギア４７が固定されている。従って、駆動モータ３３を作動させることで、ネジ軸４１の回転に追従してベース部材２９を上下方向に往復移動させることができる。
【００３２】
駆動モータ３３を第１の方向に回転させて、雌ネジ部４３を所定の上限位置まで移動させると、ベース部材２９は搬送路１１に対応する第１の移動位置まで移動することとなる。一方、駆動モータ３３を第１の方向とは反対の第２の方向に回転させて、雌ネジ部４３を所定の下限位置まで移動させると、ベース部材２９はカード収納部２１に対応する第２の移動位置まで移動することとなる。
【００３３】
なお、第１の側筐体５には、開口に連続して、ベース部材２９が第１の移動位置にあるときに、第１のカード当接部材２５の第１のツメ部２５ａとの干渉を防止する切り欠き部５ｃが形成されている。
【００３４】
カード収納部２１には、プレート部材４９と、付勢手段としてのスプリング部材５１が設けられている。スプリング部材５１は、プレート部材４９と、第２の側筐体７におけるカード収納部２１を形成する面との間に配置されており、プレート部材４９に対し第１の側筐体５に向う付勢力を付与している。これにより、スプリング部材５１の付勢力が、カード収納部２１に収納されているカードＣに対しプレート部材４９を介してカードＣの厚さ方向に作用することとなる。
【００３５】
次に、図５〜図１５を参照して、上述した構成のカード処理装置１における搬送路１１とカード収納部２１との間のカード搬送動作について説明する。図５〜図１２は、搬送路１１からカード収納部２１へのカード搬送動作を説明するための正面図であり、図１３〜図１５は、カード収納部２１から搬送路１１へのカード搬送動作を説明するための正面図である。
【００３６】
まず、搬送路１１からカード収納部２１へのカード搬送動作を説明する。図５に示されるように、カードＣが停止位置にあり、情報処理基板１７によるカード内の価値情報の書き換え等の情報処理を行った結果、当該カードＣがカード内に価値情報が残存しない、いわゆる使用済みカードとなったときには、搬送路１１内の停止位置からカード収納部２１に向けて搬送される。図６に示されるように、電磁ソレノイド３１が作動し、可動鉄芯３１ａを上方に移動させ、第１のカード当接部材２５及び第２のカード当接部材２７が第２の揺動位置まで揺動する。なお、図６においては、ベース部材２９は、カード収納部２１に対応する第２の移動位置にある。
【００３７】
第１のカード当接部材２５及び第２のカード当接部材２７が第２の揺動位置まで揺動すると、駆動モータ３３が第１の方向に回転し、雌ネジ部４３を移動させる。この雌ネジ部４３の移動は、シャフト３５を通してベース部材２９に伝えられ、図７に示されるように、ベース部材２９が上記第２の移動位置から上方に移動する。このとき、第１のカード当接部材２５及び第２のカード当接部材２７が第２の揺動位置にあるので、第１のカード当接部材２５及び第２のカード当接部材２７とカードＣとが係合するようなことはなく、ベース部材２９の移動に対して支障となるようなことはない。
【００３８】
ベース部材２９が、図８に示されるように、搬送路１１に対応する第１の移動位置まで移動すると、駆動モータ３３の回転が停止し、ベース部材２９が第１の移動位置に停止する。電磁ソレノイド３１が作動し、可動鉄芯３１ａを上方に移動させ、第１のカード当接部材２５及び第２のカード当接部材２７が第２の揺動位置まで揺動する。これにより、第１のカード当接部材２５は第１のツメ部２５ａを搬送路１１に進出させた状態となり、第２のカード当接部材２７は第２のツメ部２７ａを搬送路１１とカード収納部２１とを連通する空間に進出させた状態となる。
【００３９】
第１のカード当接部材２５及び第２のカード当接部材２７が第１の揺動位置まで揺動すると、駆動モータ３３が第２の方向に回転し、雌ネジ部４３を下方に移動させる。この雌ネジ部４３の移動は、シャフト３５を通してベース部材２９に伝えられ、図９に示されるように、ベース部材２９が上記第１の移動位置から下方に移動し、停止位置にあるカードＣがカード収納部２１に向けて送出される。なお、この状態では、カードＣはその自重により下方に移動する。
【００４０】
ベース部材２９が下方に移動し始めると、図９に示されるように、第２のカード当接部材２７の第２のツメ部２７ａは、その傾斜して形成された下側の面がカード収納部２１に収納されているカードＣのうちの最もベース部材２９寄りのカードＣに当接する。そして、ベース部材２９が更に下方に移動すると、図１０に示されたように、第２のツメ部２７ａは、最もベース部材２９寄りのカードＣをスプリング部材５１の付勢力に抗しながら押圧し、カード収納部２１に送出されるカードＣを収納可能な間隙を最もベース部材２９寄りのカードＣとベース部材２９との間に形成する。これにより、カード収納部２１に向けて搬送されているカードＣは、最もベース部材２９寄りのカードＣとベース部材２９との間に形成された間隙に入り込む。このとき、カード収納部２１に向けて搬送されているカードＣが最もベース部材２９寄りのカードＣとベース部材２９との間に形成された間隙に入り込むと、スプリング部材５１の付勢力を受けることにより、その自重だけでは下方に移動し難くなるが、図１１に示されるように、ベース部材２９の下方への移動により第１のカード当接部材２５の第１のツメ部２５ａがカードＣに当接するので、ベース部材２９の下降に伴い、カードＣも下方、すなわちカード収納部２１に向けて搬送されることとなる。
【００４１】
ベース部材２９が、図１２に示されるように、カード収納部２１に対応する第２の移動位置まで移動すると、駆動モータ３３の回転が停止し、ベース部材２９が第２の移動位置に停止する。これにより、カードＣがカード収納部２１に収納されることとなる。
【００４２】
続いて、カード収納部２１から搬送路１１へのカード搬送動作を説明する。カード収納部２１から搬送路１１へのカード搬送する場合、初期状態として、ベース部材２９の位置が第２の移動位置となり、第１のカード当接部材２５及び第２のカード当接部材２７の位置が第１の揺動位置となる（図１２に示された状態）。
【００４３】
上記初期状態とされると、駆動モータ３３が第１の方向に回転し、図１３に示されるように、ベース部材２９が上記第２の移動位置から上方に移動する。このとき、第２のカード当接部材２７の第２のツメ部２７ａは、カード収納部２１に収納されているカードＣのうちの最もベース部材２９寄りに位置する一枚のカードＣのみに当接し、当該カードＣが上方（搬送路１１）に向けて送出される。なお、カードＣ間に摩擦抵抗が生じたり第２のツメ部２７ａが複数枚のカードＣに当接したりする等の理由により、複数枚のカードＣが上方に搬送された場合でも、図１４にも示されるように、搬送路１１とカード収納部２１とを連通する部分がゲージとして機能するため、搬送路１１には一枚のカードＣのみが搬送されることとなる。
【００４４】
ベース部材２９が更に上方に移動すると、図１５に示されたように、第２のツメ部２７ａが当接して引き上げられたカードＣが搬送路１１まで移動される。そして、ベース部材２９が、搬送路１１に対応する第１の移動位置まで移動すると、駆動モータ３３の回転が停止し、ベース部材２９が第１の移動位置に停止する。これにより、カードＣの搬送路１１への搬送が完了する。
【００４５】
以上のように、本実施形態のカード処理装置１では、搬送路１１と、情報処理基板１７と、カード収納部２１と、収納カード搬送機構部２３（第１のカード当接部材２５、第２のカード当接部材２７、ベース部材２９、電磁ソレノイド３１、駆動モータ３３等）とを備え、収納カード搬送機構部２３により、搬送路１１にあるカードＣに第１のカード当接部材２５が当接し、当該第１のカード当接部材２５が当接したカードＣをカード収納部２１に向けて送出するように第１のカード当接部材２５が移動することとなる。これにより、搬送路１１にあるカードＣをカード収納部２１に搬送することができる。また、収納カード搬送機構部２３により、カード収納部２１に収納されているカードＣに第２のカード当接部材２７が当接し、当該第２のカード当接部材２７が当接したカードＣを搬送路１１に向けて送出するように第２のカード当接部材２７が移動することとなる。これにより、カード収納部２１に収納されているカードＣが搬送路１１に搬送することができる。これらの結果、カード収納部２１にカードＣを収納することができると共に、カード収納部２１に収納されているカードＣを簡易に再使用することができる。
【００４６】
また、本実施形態においては、第１のカード当接部材２５及び第２のカード当接部材２７を移動させることによりカードＣを搬送しているので、ローラ搬送方式に比して、カード汚れ等に起因する搬送不良の発生を抑制することができ、信頼性が向上する。また、ローラ清掃が不要となるために、メンテナンス性も向上する。
【００４７】
また、本実施形態において、収納カード搬送機構部２３は、第１のカード当接部材２５及び第２のカード当接部材２７が揺動自在に軸支されたベース部材２９と、第１のカード当接部材２５及び第２のカード当接部材２７を揺動させる電磁ソレノイド３１と、ベース部材２９を搬送路１１に対応する第１の移動位置とカード収納部２１に対応する第２の移動位置との間で往復移動させる駆動モータ３３とを含んでおり、第１のカード当接部材２５及び第２のカード当接部材２７は、電磁ソレノイド３１により第１の揺動位置とされると、カードＣに当接可能な状態となり、電磁ソレノイド３１により第２の揺動位置とされると、カードＣに当接しない状態とされ、第１のカード当接部材２５が第１の揺動位置とされた状態で、ベース部材２９を第１の移動位置から第２の移動位置へ移動させることにより、搬送路１１にあるカードＣをカード収納部２１に向けて送出し、第２のカード当接部材２７が第１の揺動位置とされた状態で、ベース部材２９を第２の移動位置から第１の移動位置へ移動させることにより、カード収納部２１に収納されているカードＣを搬送路１１に向けて送出することが好ましい。このように構成した場合、第１のカード当接部材２５を揺動させるためのアクチュエータと第２のカード当接部材２７揺動させるためのアクチュエータとが共用されることとなり、搬送路１１とカード収納部２１との間でカードＣを搬送するために必要なアクチュエータの数を必要最小限度にでき、構成部品点数の増加を抑制してコストの上昇を抑えることができる。
【００４８】
また、本実施形態において、第２のカード当接部材２７は、ベース部材２９を第１の移動位置から第２の移動位置へ移動させる際に、第１の揺動位置とされており、カード収納部２１に収納されているカードＣに当接して、カード収納部２１に送出されるカードＣを収納可能な間隙を形成している。これにより、カード収納部２１にカードＣが収納されている状態でも、第１のカード当接部材２５によりカード収納部２１に新たに搬送されてくるカードＣを確実に収納することができる。
【００４９】
また、本実施形態において、第２のカード当接部材２７における、ベース部材２９を第１の移動位置から第２の移動位置へ移動させる際にカード収納部２１に収納されているカードＣに当接する部分（第２のツメ部２７ａの先端部分）は、第２のカード当接部材２７の移動方向に対して傾斜して形成されている。これにより、カード収納部２１に送出されるカードＣを収納可能な間隙を確実に形成することができる。
【００５０】
また、本実施形態においては、カード収納部２１に収納されているカードＣに対し、当該カードＣが第１の揺動位置にある第２のカード当接部材２７と当接し得るように、その厚さ方向に付勢力を付与するスプリング部材５１を備えている。これにより、カード収納部２１に収納されているカードＣを確実に第２のカード当接部材２７に当接させることができ、簡易な構成にて搬送不良を防止することができる。
【００５１】
また、本実施形態において、第１のカード当接部材２５及び第２のカード当接部材２７は、カードＣの幅方向の端部に当接可能なツメ部２５ａ，２７ａをそれぞれ有している。これにより、第１のカード当接部材２５及び第２のカード当接部材２７のそれぞれを確実にカードＣに当接させることができる。また、第１のカード当接部材２５あるいは第２のカード当接部材２７とカードＣとの接触面積が必要最小限度のものとすることができ、カード汚れが各カード当接部材２５，２７に付着するのを抑制することができる。
【００５２】
また、本実施形態において、カード収納部２１は、搬送路１１の下方に設けられている。これにより、搬送路１１の下方のスペースを利用してカード収納部２１をレイアウトすることができ、搬送路１１におけるカード搬送方向での奥行き長さを小さくすることができ、装置の奥行き方向でのコンパクト化を図ることができる。
【００５３】
本発明は、前述した実施形態に限定されるものではない。例えば、カード収納部２１は搬送路１１の下方に設けているが、これに限られることなく、搬送路１１の上方に設けてもよく、また、搬送路１１の奥側に設けてもよい。また、カード挿入口９及び搬送路１１は、カードＣの幅方向が垂直状態となるように設けられているが、これに限られることなく、カードＣの幅方向が水平状態となるように設けられていてもよい。
【００５４】
また、本実施形態においては、カード挿入口９から挿入されたカードＣを搬送するカード搬送機構として、駆動ローラ１３及びピンチローラ１５を有しているが、当該カード搬送機構は必ずしも必要ではない。例えば、カードＣを、人手により、搬送路１１における停止位置まで挿入するように構成してもよい。
【００５５】
また、第１のカード当接部材２５及び第２のカード当接部材２７は、共通のベース部材２９に軸支されているが、それぞれ別の部材に軸支してもよい。この場合、駆動モータ３３もそれぞれの部材毎に配設することが好ましい。
【００５６】
また、第１のカード当接部材２５及び第２のカード当接部材２７を１個の電磁ソレノイド３１により揺動させているが、第１のカード当接部材２５及び第２のカード当接部材２７毎に電磁ソレノイドを設け、各電磁ソレノイドにより第１のカード当接部材２５及び第２のカード当接部材２７を揺動させるように構成してもよい。また、第１のアクチュエータは、電磁ソレノイド３１に限られることなく、その他のアクチュエータを用いるようにしてもよい。また、第２のアクチュエータも、駆動モータ３３に限られることなく、その他のアクチュエータを用いるようにしてもよい。
【００５７】
また、付勢手段としてスプリング部材５１を用いているが、これに限られることなく、板ばね等のその他の弾性部材を用いるようにしてもよい。
【００５８】
また、カードＣを非接触型ＩＣカードとしたが、接触型のＩＣカードとしてもよく、また、磁気カードとしてもよい。
【００５９】
【発明の効果】
以上、詳細に説明したように、本発明によれば、カード収納部に収納されているカードを簡易に再使用することが可能なカード処理装置を提供することができる。
【図面の簡単な説明】
【図１】本実施形態に係るカード処理装置の側面図である。
【図２】本実施形態に係るカード処理装置の正面図である。
【図３】本実施形態に係るカード処理装置に含まれるベース部材の平面図である。
【図４】本実施形態に係るカード処理装置に含まれるベース部材の側面図である。
【図５】本実施形態に係るカード処理装置での搬送路からカード収納部へのカード搬送動作を説明するための正面図である。
【図６】本実施形態に係るカード処理装置での搬送路からカード収納部へのカード搬送動作を説明するための正面図である。
【図７】本実施形態に係るカード処理装置での搬送路からカード収納部へのカード搬送動作を説明するための正面図である。
【図８】本実施形態に係るカード処理装置での搬送路からカード収納部へのカード搬送動作を説明するための正面図である。
【図９】本実施形態に係るカード処理装置での搬送路からカード収納部へのカード搬送動作を説明するための正面図である。
【図１０】本実施形態に係るカード処理装置での搬送路からカード収納部へのカード搬送動作を説明するための正面図である。
【図１１】本実施形態に係るカード処理装置での搬送路からカード収納部へのカード搬送動作を説明するための正面図である。
【図１２】本実施形態に係るカード処理装置での搬送路からカード収納部へのカード搬送動作を説明するための正面図である。
【図１３】本実施形態に係るカード処理装置でのカード収納部から搬送路へのカード搬送動作を説明するための正面図である。
【図１４】本実施形態に係るカード処理装置でのカード収納部から搬送路へのカード搬送動作を説明するための正面図である。
【図１５】本実施形態に係るカード処理装置でのカード収納部から搬送路へのカード搬送動作を説明するための正面図である。
【符号の説明】
１…カード処理装置、３…筐体、９…カード挿入口、１１…搬送路、１７…情報処理基板、２１…カード収納部、２３…収納カード搬送機構部、２５…第１のカード当接部材、２５ａ…第１のツメ部、２７…第２のカード当接部材、２７ａ…第２のツメ部、２９…ベース部材、３１…電磁ソレノイド、３３…駆動モータ、３７…ボールネジ機構部、４９…プレート部材、５１…スプリング部材、Ｃ…カード。
【図１】
2004280571.tif 000003
【図２】
2004280571.tif 000004
【図３】
2004280571.tif 000005
【図４】
2004280571.tif 000006
【図５】
2004280571.tif 000007
【図６】
2004280571.tif 000008
【図７】
2004280571.tif 000009
【図８】
2004280571.tif 000010
【図９】
2004280571.tif 000011
【図１０】
2004280571.tif 000012
【図１１】
2004280571.tif 000013
【図１２】
2004280571.tif 000014
【図１３】
2004280571.tif 000015
【図１４】
2004280571.tif 000016
【図１５】
2004280571.tif 000017